(57)【要約】【課題】基板上に平板型で製造された複数のアンテナ素子から放射され他のアンテナへ伝播される電磁波を互いに相殺させることで、アンテナ素子間の干渉を防止して放射パターンの歪曲を防止し、出力の利得を増大させると共に、製造が容易になり小型で製造できる平板型MIMOアレーアンテナを提供する。【解決手段】平板型MIMOアレーアンテナは、基板と、基板上に位置した複数のアンテナ素子と、基板上において複数のアンテナ素子の間に位置し、所定の接地部に接地される少なくとも１つのアイソレーション素子とを含む。【選択図】図３
2007097167.tif 000002
【特許請求の範囲】
【請求項１】
基板と、
前記基板上に位置した複数のアンテナ素子と、
前記基板上において前記複数のアンテナ素子の間に位置し、所定の接地部に接地される少なくとも１つのアイソレーション素子と、
を含むことを特徴とする平板型MIMOアレーアンテナ。
【請求項２】
前記少なくとも１つのアイソレーション素子は、前記複数のアンテナ素子のそれぞれから放射された電磁波が、他のアンテナ素子に与える影響を相殺することを特徴とする請求項１に記載の平板型MIMOアレーアンテナ。
【請求項３】
前記アイソレーション素子は、所定のビアホールを介して前記接地部に接地されることを特徴とする請求項１に記載の平板型MIMOアレーアンテナ。
【請求項４】
前記複数のアンテナ素子のそれぞれに給電する複数の給電部を更に含むことを特徴とする請求項１に記載の平板型MIMOアレーアンテナ。
【請求項５】
前記複数のアンテナ素子は、
前記基板上に位置した第１アンテナ素子と、
前記基板上において前記第１アンテナ素子から所定距離だけ離間して配置される第２アンテナ素子と、
を含むことを特徴とする請求項４に記載の平板型MIMOアレーアンテナ。
【請求項６】
前記第２アンテナ素子は、前記基板上において前記第１アンテナから第１の所定距離だけ離間されたことを特徴とする請求項５に記載の平板型MIMOアレーアンテナ。
【請求項７】
前記アイソレーション素子は、前記第１及び第２アンテナ素子の間に位置したことを特徴とする請求項５に記載の平板型MIMOアレーアンテナ。
【請求項８】
前記アイソレーション素子は、前記第１及び第２放射部からそれぞれ所定距離だけ離間されたことを特徴とする請求項７に記載の平板型MIMOアレーアンテナ。
【請求項９】
前記アイソレーション素子は、前記第１及び第２アンテナ素子から第２の所定距離だけ離間されたことを特徴とする請求項８に記載の平板型MIMOアレーアンテナ。
【請求項１０】
前記第１及び第２アンテナ素子は、所定の仮想線を中心に互いに対称となるように配置されることを特徴とする請求項９に記載の平板型MIMOアレーアンテナ。
【請求項１１】
前記アイソレーション素子は、前記仮想線を中心に対称形に製造されたことを特徴とする請求項１０に記載の平板型MIMOアレーアンテナ。
【請求項１２】
前記アイソレーション素子は、逆Ｕ字形状に製造されたことを特徴とする請求項１１に記載の平板型MIMOアレーアンテナ。
【請求項１３】
前記アイソレーション素子の全長は、前記第１及び第２アンテナ素子にて出力する電波の波長λであることを特徴とする請求項１２に記載の平板型MIMOアレーアンテナ。
【請求項１４】
前記第１及び第２アンテナ素子は「λ/２」の間隔を有することを特徴とする請求項１３に記載の平板型MIMOアレーアンテナ。
【請求項１５】
前記アイソレーション素子は、前記第１及び第２アンテナ素子とそれぞれ「λ/４」の間隔を有することを特徴とする請求項１３に記載の平板型MIMOアレーアンテナ。
【請求項１６】
前記アイソレーション素子は、
前記仮想線を中心に互いに平行であるように位置する第１及び第３ストリップと、
前記第１ストリップの一端及び前記第３ストリップの一端を連結する第２ストリップと、
を含むことを特徴とする請求項１１に記載の平板型MIMOアレーアンテナ。
【請求項１７】
前記第１及び第２ストリップの長さは約0.39λであり、前記第３ストリップの長さは約0.17λである（ここで、λは前記第１及び第２アンテナ素子にて出力する電波の波長である）ことを特徴とする請求項１６に記載の平板型MIMOアレーアンテナ。
【請求項１８】
前記アイソレーション素子の幅は、約0.026λである（ここで、λは前記第１及び第２アンテナ素子にて出力する電波の波長である）ことを特徴とする請求項１６に記載の平板型MIMOアレーアンテナ。
【請求項１９】
前記接地部は、前記複数のアンテナ素子が位置した前記基板の一側面と反対方向に位置することを特徴とする請求項１に記載の平板型MIMOアレーアンテナ。
【発明の詳細な説明】
【技術分野】
【０００１】
本発明は、平板型MIMOアレーアンテナに関し、より詳細には基板上に平板型で製造され、アンテナ素子間の干渉を防止するアイソレーション素子を含む平板型MIMOアレーアンテナに関する。
【背景技術】
【０００２】
アンテナとは、電気的な信号を所定の電磁波に切替えて自由空間に放射したり、その反対の動作を行なう部品のことを意味する。アンテナが電磁波を放射あるいは検知できる有効領域のことを一般的に放射パターン（radiation  pattern）という。一方、複数のアンテナ素子を特殊な構造で配列し、各アンテナの放射パターン及び放射電力を結合する。これにより、全体放射パターンをシャープな形状に製造でき、またアンテナの電磁波が一層遠くに広がるように施すことができる。かかる構造のアンテナをアレーアンテナ（array antenna）という。アレーアンテナは多重の入出力動作を行うMIMO（Multiple-Input  Multiple-Output）システムに用いられる。
【０００３】
図１は、従来の平板型MIMOアレーアンテナの一例を示す図面である。
同図に示された従来の平板型MIMOアレーアンテナは、２つのアンテナ素子１１、１２及び２つの給電部２１、２２を備えた２チャネルの平面アレーアンテナである。ここで、２つのアンテナ素子１１、１２は半波長（λ/２）の間隔で基板１０上に配列されている。
図２は、図１に示した従来の平板型MIMOアレーアンテナの周波数対Ｓ−パラメータの特性を示す図面である。同図において、Ｓ11は第１アンテナ素子１１の入力反射係数を意味するＳ−パラメータであり、Ｓ21は２つのアンテナ素子１１、１２の相互結合を意味するＳ−パラメータであって、5.25GHz帯域及び5.8GHz帯域において、Ｓ21はそれぞれ約-18〜20dB程度の値を有することが分かる。
【０００４】
ここでは複数のアンテナ素子が使われるので、アンテナ素子の相互の干渉によって発生する相互結合がアンテナの放射パターンを歪曲するという問題点がある。そこで、従来の平板型MIMOアレーアンテナに対し、相互結合をより抑制するための多様な方法が模索されている。
アンテナ素子間の相互結合を防止するために、従来のMIMOアレーアンテナでは、基板上に配列された各アンテナ素子との間に３次元構造の電気壁を立てて、アンテナ素子間の位相差がそれぞれ180°を持つようにするか、電気的距離を半波長にしている。これにより、各アンテナ素子の相互結合を抑え、各アンテナから放射される電磁波が他のアンテナへ伝播されることを最小化している。
【０００５】
しかし、従来の方法は、３次元構造を採用することにより、全体のアンテナチップの体積が増加し、超小型電子装置では使い難いという問題点があった。また、製品の一体化と製造自体が難しく、製造単価が極端に高くなるという問題点があった。
【発明の開示】
【発明が解決しようとする課題】
【０００６】
本発明は前述の問題点を解決するために提案されたもので、本発明の目的は、基板上に平板型で製造された複数のアンテナ素子から放射され他のアンテナへ伝播される電磁波を互いに相殺することで、アンテナ素子間の干渉を防止して放射パターンの歪曲を防止し、出力の利得を増大させると共に、製造が容易になり小型で製造できる平板型MIMOアレーアンテナを提供することにある。
【課題を解決するための手段】
【０００７】
前述の目的を達成するための本発明の一実施形態に係る平板型MIMOアレーアンテナは、基板と、前記基板上に位置した複数のアンテナ素子と、前記基板上において前記複数のアンテナ素子の間に位置し、所定の接地部に接地される少なくとも１つのアイソレーション素子とを含む。
好ましくは、前記少なくとも１つのアイソレーション素子は、前記複数のアンテナ素子のそれぞれから放射された電磁波が、他のアンテナ素子に与える影響を相殺することを特徴とする。
【０００８】
また、前記アイソレーション素子は、所定のビアホールを介して前記接地部に接地されるように構成できる。
また、前記複数のアンテナ素子のそれぞれに給電する複数の給電部を更に含むように構成できる。
また、前記複数のアンテナ素子は、前記基板上に位置した第１アンテナ素子と、前記基板上において前記第１アンテナ素子から所定距離だけ離間して位置した第２アンテナ素子とを含む構成とすることができる。
【０００９】
また、前記第２アンテナ素子は、前記基板上において前記第１アンテナから第１の所定距離だけ離間して配置することができる。
また、前記アイソレーション素子は、前記第１及び第２アンテナ素子の間に位置して配置することができる。
また、前記アイソレーション素子は、前記第１及び第２放射部からそれぞれ所定距離だけ離間して配置することができる。
【００１０】
また、前記アイソレーション素子は、前記第１及び第２アンテナ素子から第２の所定距離だけ離間して配置することができる。
また、前記第１及び第２アンテナ素子は、所定の仮想線を中心に互いに対称となるように配置することができる。
また、前記アイソレーション素子は、前記仮想線を中心に対称形に製造することができる。
【００１１】
また、前記アイソレーション素子は、逆Ｕ字形状（「∩」形状）に製造することができる。
また、前記アイソレーション素子の全長を「λ」とすることができる。ここで、λは前記第１及び第２アンテナ素子にて出力する電波の波長である。
また、前記第１及び第２アンテナ素子は「λ/２」の間隔を有するように構成できる。
【００１２】
また、前記アイソレーション素子は、前記第１及び第２アンテナ素子とそれぞれ「λ/４」の間隔を有するように構成できる。
また、前記アイソレーション素子は、前記仮想線を中心に互いに平行であるように配置される第１及び第３ストリップと、前記第１ストリップの一端及び前記第３ストリップの一端を連結する第２ストリップとを含むことを特徴とする。
【００１３】
また、前記第１及び第２ストリップの長さは約0.39λであり、前記第３ストリップの長さは約0.17λであることを特徴とする。ここで、λは前記第１及び第２アンテナ素子にて出力する電波の波長である。
また、前記アイソレーション素子の幅は、約0.026λであることを特徴とする。ここで、λは前記第１及び第２アンテナ素子にて出力する電波の波長である。
【００１４】
また、前記接地部は、前記複数のアンテナ素子が位置した前記基板の一側面と反対方向に位置することを特徴とする。
【発明の効果】
【００１５】
本発明によると、アンテナ素子の間に製造されたアイソレーション素子を用いてアンテナ素子間の相互干渉を防止することで、放射パターンの歪曲を防止する効果がある。
また、アイソレーション素子を接地面に接地することで、寄生アンテナとして動作するようにし、出力の利得を上げられる効果がある。
また、基板上に積層されたメタル膜を所定の形態にエッチングするだけで、アイソレーション素子及びアンテナ素子を製造できるので、製造方法が容易になり、基板上のメタル膜がアイソレーション素子を構成するようになり、ほぼ２次元に近い平板構造に製造できる効果がある。
【００１６】
これにより、本発明に係る平板型MIMOアレーアンテナは超小型MIMOシステムにて使える効果がある。
【発明を実施するための最良の形態】
【００１７】
以下、添付の図面に基づいて本発明の好適な実施形態を詳述する。
＜実施形態１＞
図３は、本発明の一実施形態に係るMIMOアレー（MIMO  array）アンテナの構成を示す図面であって、本発明に係るアイソレーション素子を備えた２チャネル平面アレーアンテナを示す。
【００１８】
同図のMIMOアレーアンテナは基板100上に平板型で製造される第１アンテナ素子111及び第２アンテナ素子113、アイソレーション素子131、及び２つの給電部121,123を含む。
基板100はPCB（Printed  Circuit  Board）基板で構成することができる。従って、PCB基板の表面上のメタル膜を所定の形態に除去することで、第１アンテナ素子111及び第２アンテナ素子113、及びアイソレーション素子131を同時に基板100上に製造することができる。基板100上に別の物質を積層する必要がなく、極めて薄いメタル膜が第１アンテナ素子111及び第２アンテナ素子113及びアイソレーション素子131を構成するため、ほぼ２次元に近い平板型で具現することができる。それにより、アンテナの体積を最小化することができる。
【００１９】
第１アンテナ素子111及び第２アンテナ素子113は、給電部121,123を通じてそれぞれ所定の高周波信号の給電を受けて電磁波を放射する。第１アンテナ素子111及び第２アンテナ素子113は、所定の仮想線（L-L'）を中心に互いに対称となるように基板100上に配置され得る。また、第１アンテナ111及び第２アンテナ素子113それぞれの中心点との間の距離（Ａ）は、λ/２に設定することが好ましい。ここで、λは本アンテナにて出力しようとする信号の波長である。
【００２０】
２つの給電部121,123は、それぞれ第１アンテナ素子111及び第２アンテナ素子113を給電する役割を担う。図３において、給電部121,123はそれぞれ第１アンテナ素子111及び第２アンテナ素子113の下部に所定の距離を隔てた状態で製造される。給電部121,123はそれぞれ基板100の下部に連結され外部から高周波信号を受ける。高周波信号の形で給電部121,123に供給された電磁エネルギーはカップリングされ、それぞれ第１アンテナ素子111及び第２アンテナ素子113に伝達される。これにより、第１アンテナ素子111及び第２アンテナ素子113は電磁波を放射する。
【００２１】
アイソレーション素子131は第１アンテナ素子111及び第２アンテナ素子113の間に配置し、ビアホール141を介して接地面160に接地されるようにする。特に、アイソレーション素子131は、第１アンテナ素子111及び第２アンテナ素子113に対して中間に位置するように配置し、第１アンテナ素子111及び第２アンテナ素子113からそれぞれλ/４の間隔の距離を隔てることが好ましい。ここで、アイソレーション素子131の全長はλになるようにすることが好ましい。また、アイソレーション素子131は仮想線（L-L'）を中心に対称形態で基板100上に製造でき、図面に示すように「∩」の形に製造できる。ここで、アイソレーション素子131は、第１ストリップ131a、第２ストリップ131b、及び第３ストリップ131cに区分することができる。第１及び第３ストリップ131a,131cは仮想線（L-L'）を中心に互いに平行になるよう製造され、第２ストリップ131bは第１ストリップ131aの一端及び第３ストリップ131cの一端を連結するように製造することができる。
【００２２】
一方、本実施形態では基板100と接地面160との間にエアギャップ150が存在するように製造されているが、必ずしもこれに限定するものではなく、エアギャップが位置する空間に所定の誘電体を挿入するか、基板100に接地面160が直接付着するように製造することもできる。
前述のように構成された本発明に係るMIMOアレーアンテナにおけるアイソレーション素子131の動作特性について図４(ａ)〜図４(ｃ)に基づいて説明する。
【００２３】
図４(ａ)は、図１に示した従来の平板型MIMOアレーアンテナにおいて、２つのアンテナ素子11,12が同時に給電された場合の電流分布を示し、図４(ｂ)は、本発明に係る図３のアンテナにおいて、２つのアンテナ素子111,113が同時に給電された場合の電流分布を示し、図４(ｃ)は、図４(ｂ)に対して逆位相の電流分布を示す。
図４(ａ)に示すように、２つのアンテナ素子11,12が同時に給電された場合、２つのアンテナ素子11,12の電流分布は同一に表れ、所望しない水平偏波によって２つのアンテナ素子間の相互結合は5.25GHzと5.8GHzの帯域においてそれぞれ-18dBと-21dB程度になり、多少大きな値を有する。
【００２４】
一方、図４(ｂ)に示すように、アイソレーション素子131を２つのアンテナ素子111,113の間に配置した場合の電流分布から分かるように、アイソレーション素子131によって２つのアンテナ素子111,113の間に発生する所望しない放射成分である水平偏波が相殺される。これは、２つのアンテナ素子111,113がアイソレーション素子131とそれぞれλ/４の間隔を有するので入射波と反射波がアイソレーション素子131に対してそれぞれ90°の位相差を持つことになって相殺される。また、アイソレーション素子131に励起された干渉成分はビアホール141を介して接地面160に吸収され除去される。
【００２５】
一方、図４(ｃ)は、図４(ｂ)に対して逆位相の電流分布を有する場合、アイソレーション素子131に電流が強く分布することを示す。このような現象は本発明に係るアイソレーション素子131がまるでアンテナのように動作していることを意味する。即ち、アイソレーション素子131が２つのアンテナ素子111,113の相互結合を抑制する役割だけではなく、寄生アンテナとしての役割も同時に行うことでアンテナの利得の改善に寄与することが分かる。
【００２６】
以下、本発明に係るアンテナにおいて、アイソレーション素子131のパラメータ変化による周波数対Ｓ−パラメータの特性変化について説明する。
図５Ａは、アイソレーション素子131の第１及び第３ストリップ131a,131cの長さＬによる周波数対Ｓ−パラメータの特性を示す図面である。同図は、図１の平板型MIMOアレーアンテナにおいて、第１及び第２アンテナ素子111,113のそれぞれの中心点間の間隔を0.525λ（30mm）程度にし、アイソレーション素子131の第２ストリップ131bの長さＤを概ね0.17λ（9.5mm）、アイソレーション素子131の幅Ｗを概ね0.026λ（1.5mm）程度で製造した状態で、アイソレーション素子131の第１及び第３ストリップ131a,131cの長さＬを変化させながら測定した周波数対Ｓ−パラメータの特性を示すグラフである。ここで、λは本アンテナにて出力しようとする信号の波長であり、括弧の中の数値は出力しようとする信号の周波数帯域が約5GHzの時の値であって、下記においても同様に適用することができる。
【００２７】
図５Ａによると、第１アンテナ素子111の入力反射係数を意味するＳ−パラメータであるＳ11が5GHzから8GHzの間の範囲において全て-10dB以下になり、第１及び第３ストリップ131a、131cの長さＬの変化とは関係なく一定に維持されることが分かる。
一方、第１アンテナ素子111と第２アンテナ素子113との間の相互結合を意味するＳ−パラメータであるＳ21の共振周波数は長さＬの増加と共に低くなることが分かる。このことは、Ｓ11を一定に維持しつつ、使用者の要求に応じて長さＬを適切に調節することで、相互結合の抑圧帯域を調整できるということを示す。特に、IEEE802.11aで要求される5.15〜5.25GHz帯域と5.75〜5.85GHz帯域では、長さＬが0.39λ（22.4mm）の時に使用帯域全体の相互結合を抑圧できるということが分かる。
【００２８】
図５Ｂは、アイソレーション素子131の第２ストリップ131bの長さＤによる周波数対Ｓ−パラメータの特性を示す図面である。同図は、第１及び第３ストリップ131a、131cの長さＬが0.39（22.4mm）であり、アイソレーション素子131の幅Ｗは0.026λ（1.5mm）であり、その他の条件は図５Ａと同一に合わせた状態で、第２ストリップ131bの長さＤを変化させながら測定した周波数対Ｓ−パラメータの特性を示すグラフである。
【００２９】
同図によると、Ｓ11が、図５Ａと同じく、5GHzから8GHzの間の範囲において全て-10dB以下になり、第２ストリップ131bの長さＤの変化とは関係なく一定に維持されることが分かる。一方、第２ストリップ131bの長さＤがＳ21の共振周波数と共振の程度に影響を与え、5GHz帯域では長さＤが0.17λ（9.5mm）の時にＳ21が最適値を有することが分かる。
図５Ｃは、アイソレーション素子131の幅Ｗによる周波数対Ｓ−パラメータの特性を示す図面である。同図は第１及び第３ストリップ131a、131cの長さＬが0.39λ（22.4mm）であり、第２ストリップ131bの長さＤが0.17λ（9.5mm）であり、その他の条件は図５Ａと同一にした状態で、幅Ｗを変化させながら測定した周波数対Ｓ−パラメータの特性を示すグラフである。
【００３０】
同図によると、Ｓ11が、図５Ａと同じく、5GHzから8GHzの間の範囲において全て-10dB以下になり、幅Ｗの変化とは関係なく一定に維持されることが分かる。一方、アイソレーション素子131は幅Ｗに応じて固有のインピーダンスを有するので、同図に示すように、アイソレーション素子131の幅ＷがＳ21の共振の程度に影響を与え、5GHz帯域では幅Ｗが0.026λ（1.5mm）の時にＳ21が最適値を有することが分かる。
【００３１】
図５Ａ〜図５Ｃによると、アイソレーション素子131の最適パラメータは、長さＬが0.39λ（22.4mm）、長さＤが0.17λ（9.5mm）、幅Ｗが0.026λ（1.5mm）であることが分かる。図５Ｄに、アイソレーション素子131に前述した最適パラメータ値を適用して製造した本発明に係るMIMOアレーアンテナの周波数対Ｓ−パラメータの特性を示す。
図５Ｄによると、第１アンテナ素子111の反射係数Ｓ11及び第２アンテナ素子113の反射係数Ｓ22がIEEE802.11aで要求される5.15〜5.25GHz帯域と5.75〜5.85GHz帯域を満足し、第１及び第２アンテナ素子111、113間の相互結合Ｓ21、Ｓ12も5.25GHz帯域と5.8GHzの帯域においてそれぞれ-33dBと-28dB以下の優秀な特性を示すことが分かる。
【００３２】
図６は、従来のMIMOアレーアンテナに対比される本発明に係るMIMOアレーアンテナの利得（gain）特性を示す図面である。
同図において、グラフ610は本発明に係るMIMOアレーアンテナの利得を示し、グラフ620は従来のMIMOアレーアンテナの利得を示す。図７に示すように、本発明に係るMIMOアレーアンテナは従来に比べ全体的に利得が2dBiくらい改善されたことが分かるが、これは前述のようにアイソレーション素子131が寄生アンテナのように動作することでアンテナの利得を改善させる効果が表れることに起因する。
【００３３】
図７Ａは、図３の平板型MIMOアレーアンテナの5.25GHz帯域における放射パターンを示す図面であり、図７Ｂは図３の平板型MIMOアレーアンテナの5.8GHz帯域における放射パターンを示す図面である。図７Ａ及び図７Ｂにおいて、No.1及びNo.2グラフはそれぞれ第１
及び第２アンテナ素子111、113の5.25GHz及び5.8GHz帯域における放射パターンを示す。図７Ａ及び図７Ｂによると、本発明に係る図３の平板型MIMOアレーアンテナはアイソレーション素子の影響によって若干歪曲する現象が見られるが、実際の無線通信環境において適用できる程の適合した放射パターンが見られる。
【００３４】
一方、図３では２つのアンテナ素子と１つのアイソレーション素子とを備えたMIMOアレーアンテナを示したが、本発明の他の実施形態によると、アンテナ素子は２つ以上にすることができ、少なくとも１つ以上のアイソレーション素子が各アンテナ素子の間に形成することができる。
図８は、本発明の他の実施形態に係るMIMOアレーアンテナの構成を示す図面であって、同図のMIMOアレーアンテナは基板（図示せず）上に平板型で製造される第１〜第３アンテナ素子111、113、115、第１及び第２アイソレーション素子131、133、及び３つの給電部121、123、125を含む。
【００３５】
第１及び第２アンテナ素子111、113、２つの給電部121、123及び第１アイソレーション素子131は、図３でのMIMOアレーアンテナと同様に製造され得る。第３アンテナ素子115、給電部125及び第２アイソレーション素子133は、第２アンテナ素子113を中心に第１アンテナ素子111、給電部121、第１アイソレーション素子131と対称になるように製造され得る。
【００３６】
３つのアンテナ素子111、113、115の間に発生される不所望の放射成分である水平偏波は、第１及び第２アイソレーション素子131、133によって相殺され、第１及び第２アイソレーション素子131、133に励起された干渉成分は、ビアホール141、143を介して接地面（図示せず）に吸収され除去される。
図９は、図８のMIMOアレーアンテナの周波数対Ｓ−パラメータの特性を示す図面である。同図は、図８の平板型MIMOアレーアンテナを第１及び第２アンテナ素子111、113と第２及び第３アンテナ素子113、115の中心点間の間隔をそれぞれ0.525λ（30mm）の程度に製造し、第１及び第２アイソレーション素子131、133は図５Ｄにおいてアイソレーション素子に適用した最適パラメータに基づいて製造した状態で測定した周波数対Ｓ−パラメータの特性を示したグラフである。
【００３７】
図９によると、第１、第２及び第３アンテナ素子111、113、115の反射係数Ｓ11、Ｓ22、Ｓ33が5GHzの帯域において全て-10dB以下になり、IEEE802.11aで要求される5.15〜5.25GHz帯域と5.75〜5.85GHz帯域において使用可能であることが分かる。また、第１〜第３アンテナ素子111、113、115間の相互結合Ｓ21、Ｓ12、Ｓ32、Ｓ23、Ｓ13、Ｓ31も5.25GHz帯域と5.8GHzの帯域において約-28〜-29dB以下の優秀な特性を示すことが分かる。
【図面の簡単な説明】
【００３８】
【図１】従来の平板型MIMOアレーアンテナの一例を示す図面である。
【図２】図１に示した従来の平板型MIMOアレーアンテナの周波数対Ｓ−パラメータの特性を示す図面である。
【図３】本発明の一実施形態に係るMIMOアレーアンテナの構成を示す図面である。
【図４Ａ】図３のＭＩＭＯアレーアンテナにおいてアイソレーション素子の動作特性を説明するために提供される図面である。
【図４Ｂ】図３のＭＩＭＯアレーアンテナにおいてアイソレーション素子の動作特性を説明するために提供される図面である。
【図４Ｃ】図３のＭＩＭＯアレーアンテナにおいてアイソレーション素子の動作特性を説明するために提供される図面である。
【図５Ａ】アイソレーション素子のパラメータの変化による周波数対Ｓ−パラメータの特性変化及びアイソレーション素子の最適パラメータを説明するために提供される図面である。
【図５Ｂ】アイソレーション素子のパラメータの変化による周波数対Ｓ−パラメータの特性変化及びアイソレーション素子の最適パラメータを説明するために提供される図面である。
【図５Ｃ】アイソレーション素子のパラメータの変化による周波数対Ｓ−パラメータの特性変化及びアイソレーション素子の最適パラメータを説明するために提供される図面である。
【図５Ｄ】アイソレーション素子のパラメータの変化による周波数対Ｓ−パラメータの特性変化及びアイソレーション素子の最適パラメータを説明するために提供される図面である。
【図６】従来のMIMOアレーアンテナに対比される本発明に係るMIMOアレーアンテナの利得（gain）特性を示す図面である。
【図７Ａ】図３の平板型MIMOアレーアンテナの5.25GHz帯域における放射パターンを示す図面である。
【図７Ｂ】図３の平板型MIMOアレーアンテナの5.8GHz帯域における放射パターンを示す図面である。
【図８】本発明の他の実施形態に係るMIMOアレーアンテナの構成を示す図面である。
【図９】図８のMIMOアレーアンテナの周波数対Ｓ−パラメータの特性を示す図面である。
【図１】
2007097167.tif 000003
【図２】
2007097167.tif 000004
【図３】
2007097167.tif 000005
【図４Ａ】
2007097167.tif 000006
【図４Ｂ】
2007097167.tif 000007
【図４Ｃ】
2007097167.tif 000008
【図５Ａ】
2007097167.tif 000009
【図５Ｂ】
2007097167.tif 000010
【図５Ｃ】
2007097167.tif 000011
【図５Ｄ】
2007097167.tif 000012
【図６】
2007097167.tif 000013
【図７Ａ】
2007097167.tif 000014
【図７Ｂ】
2007097167.tif 000015
【図８】
2007097167.tif 000016
【図９】
2007097167.tif 000017